(57)【要約】【課題】給水装置の水リザーバタンクのみを着脱可能にて、洗浄作業時の配管や電気配線の分解を不要として取外し作業を軽減する。【解決手段】水道からの給水を一旦貯留する形状であり、底面には各負荷に貯留水を供給する供給ノズル２８ａを形成し、機体に固着する水リザーバタンク２８と、前記水リザーバタンク２８と勘合する形状であり、上面には水道配管と接続する給水ノズル３０ｂを設け、機体に固着する蓋３０と、前記水リザーバタンク２８と蓋３０を固着するネジ２９とからなる。【選択図】図１
2005092394.tif 000002
【特許請求の範囲】
【請求項１】
水道からの給水を一旦貯留する形状であり、底面には各負荷に貯留水を供給する供給ノズルを形成し、上方には貯水量が所定量以下になるよう排水する排水口を設け、機体に固着する水リザーバタンクと、前記水リザーバタンクと勘合する形状であり、上面には水道配管と接続する給水ノズルを設け、機体に固着する蓋と、前記水リザーバタンクと蓋を固着するネジと、前記蓋の上面に固着され、水リザーバタンクに所定の貯水量になるよう給水弁の通電を制御する水位制御装置とからなる自動販売機の給水装置。
【請求項２】
水道からの給水を一旦貯留する形状であり、底面には各負荷に貯留水を供給する供給ノズルを形成し、上方には貯水量が所定量以下になるよう排水する排水口を設け、対向する２辺に形成した引掛け又は保持形状を形成した第２水リザーバタンクと、前記第２水リザーバタンクと勘合する形状であり、上面には水道配管と接続する給水ノズルを設け、前記第２水リザーバタンクと係合する引掛け又は保持形状を形成し機体に固着する第２蓋とかなる請求項１に記載の自動販売機の給水装置。
【請求項３】
前記第２水リザーバタンクと勘合する形状であり、上面には水道配管と接続する給水ノズルを設け、前記第２水リザーバタンクと係合する引掛け又は保持形状に、さらに弾性にて変形する押え形状を形成し機体に固着する第３蓋とかなる請求項１又は請求項２に記載の自動販売機の給水装置。
【請求項４】
前記第２水リザーバタンクと勘合する形状であり、上面には水道配管と接続する給水ノズルを設け、上面を覆う形状を形成し、前記第２水リザーバタンクと係合する引掛け又は保持形状を形成し、機体に固着する第４蓋とからなる請求項１から３記載の自動販売機の給水装置。
【請求項５】
水道からの給水を一旦貯留する形状であり、底面には各負荷に貯留水を供給する供給ノズルを形成し、上方には貯水量が所定量以下になるよう排水する排水口を設け、機体に固着する第３水リザーバタンクと、前記第３水リザーバタンクと勘合する形状であり、上面には水道配管と接続する給水ノズルと、さらに水リザーバタンク底面付近まで形成し各負荷へ貯留水を供給する供給ノズルを設け、機体に固着する第５蓋とからなる請求項１に記載の自動販売機の給水装置。
【請求項６】
水道からの給水を一旦貯留する形状であり、底面には円筒形状のほぼ中間に突起形状を形成し、各負荷に貯留水を供給する供給ノズルを形成し、上方に所定量以上の給水を排水する排水口を設け、機体に固着する第３水リザーバタンクと、前記供給ノズルの突起部と勘合する給水配管と、接合部をシールするパッキンとからなる請求項１に記載の自動販売機の給水装置。
【発明の詳細な説明】
【技術分野】
【０００１】
本発明は機体内に商品を充填、又は生成して販売する自動販売機の給水装置に関するものである。
【背景技術】
【０００２】
近年、機体内で飲料を生成する自動販売機の普及は目覚ましく、設置された容器に自動的に注入する方式や、商品購入者専用の容器を使用する販売方式など設置場所や利用用途に応じ多種多様な自動販売機がいたる所に設置されている。その際共通の課題として、機械を維持管理する上で衛生管理が重要であり、特に主原料となる飲料水の衛生管理を行うため定期的に洗浄又は殺菌作業を行うのが通常である。そこで自動販売機の洗浄水回路として、例えば特許文献１のような自動販売機が、また、常に飲料水を貯留する給水装置については、例えば特許文献２のような自動販売機が提案されている。
【０００３】
以下、図面を参照しながら、従来の自動販売機の給水装置について説明する。
【０００４】
図８、９は従来の自動販売機の水回路、及び給水装置を示すものである。
【０００５】
同図において、水道配管と接続した給水弁１の２次側は給水装置２と配管で接続され、通電信号により一定量の水を貯水する。給水装置２の下部と配管で接続された高圧ポンプ３は３方電磁弁４と配管で接続され、通電状態では２次側接続口４ａに開路され、温水タンク５に接続される。では、無通電状態では２次側接続口４ｂに開路され、冷却槽６内の冷却水６ａに水没した冷却管７の一端と接続される。前記冷却管７のもう一端には冷却用３方弁８と接続して、通電時には２次側接続口８ａからカップステージ９にセットされたカップ１０に冷水が注入される。一方、給湯弁１１は電気信号により動作して、温水がカップ１０内に注入される。
【０００６】
カーボネータ１２は冷水管７同様に冷却槽６内の冷却水６ａに水没し、冷水用３方弁８の２次側接続口８ｂ、及び炭酸ガスボンベ１３とそれぞれ配管で接続され、炭酸水を生成して、炭酸水弁１４の動作によりカップ１０内に注入される。シロップタンク１５は、前記炭酸ガスボンベ１３と配管で接続して、炭酸ガス圧により押し出したシロップを、冷却槽６内の冷却水６ａに水没したシロップ冷却管１６で冷やされ、シロップ弁１７の動作によりカップ１０内に注入される。
【０００７】
製氷機１８は下部に設けた接続口１８ａ、１８ｂの内、１８ａは前記給水装置２の下部と接続され、もう一方の接続口１８ｂは製氷機１８の貯氷室排水口１８ｃと接続され、さらにほぼ中間で分岐し、流路開閉コック１９を介しカーボネータ１２と炭酸水弁７を接続する配管の途中に接続する。
【０００８】
前記給水装置２の供給ノズルは排水弁２０と配管で接続され、貯水を排水バケッ２１に導く時に使用する。
【０００９】
次に、図９を用い自動販売機の給水装置の概略構成について説明する。
【００１０】
水道水を一旦貯水する水リザーバタンク２２は、底面には貯留水を各負荷に供給する供給ノズル２２ａが形成されてあり、配管で接続され各負荷に、必要に応じ随時送水される。蓋２３は前記水リザーバタンク２２と勘合し、給水弁１と配管で接続された給水口２３ａが水リザーバタンク２２に向けて開口して設けられている。この給水口２３ａには給水
源となる水道水を電気信号により動作する給水弁１の後に流量調整装置２４を経て配管と接続されている。そして、水リザーバタンク２２内の貯水面に浮んだフロート２７の上下動作を連結棒２６介して、前記蓋２３の上面に位置する水位スイッチ２５で水位を検知して、により前記給水弁１の通電制御を行なう。
【００１１】
以上のように構成された自動販売機の給水装置の販売動作について、同図を用いその動作について説明する。
【００１２】
給水装置２内に所定の貯水量になるまで給水弁１が動作する。給水装置２の貯水は製氷機１８に供給されて氷を生成する。また、高圧ポンプ３の通電により、給水装置２の貯留水が製氷機を経由して高圧ポンプ３の１次側へ吸込まれ、３方電磁弁４が通電された時、温水タンク５に供給される。ただし、通電されない通常時は冷却管７で冷やされ冷水用３方弁８まで供給される。次に、冷水用３方弁８が通電されることで、カップステージのカップ１０に飲料用冷水として吐出する。通電されない通常は、炭酸ガスボンベ１３から供給される炭酸ガスが充満したカーボネータ１２に吐出して炭酸ガスを一定量製造する。次に炭酸水弁１４の通電により冷水同様カップ１０に吐出する。
【００１３】
次に、水配管内の洗浄操作について、同図を用い説明する。
【００１４】
まず給水装置２に洗浄液を投入し、流路開閉コック１９を開状態に切替える。炭酸ガスボンベ１３から炭酸ガスの吐出を止め、高圧ポンプ３を通電することにより給水装置２の洗浄水が圧送され、冷水回路７、カーボネータ１２、流路開閉コック１９を介して製氷機１８、そして給水装置２の順に洗浄水が循環して洗浄を行う。洗浄が終われば、排水弁２０を通電して汚水を排水バケツ２１内に排水する。排水終了後に、流路開閉コック１９を閉状態に戻し、炭酸ガスの吐出を再開することで通常状態に戻り、販売を再開できる。
【特許文献１】実開平５−７５８８７号公報
【特許文献２】実開平５−６６７８９号公報
【発明の開示】
【発明が解決しようとする課題】
【００１５】
しかしながら上記従来の構成では、販売の経過により給水装置２の内面に付着した水垢等の汚れは薬品の投与だけでは除去できず、衛生管理上定期的に給水装置２を機体より取外し洗浄することが必要になるが、給水装置２を機体より取外す際、水配管や電気配線の取外しが必要になり、作業に多大な時間を必要とし、複雑な作業を行うためには作業者が特殊技術を必要とする欠点を有していた。
【００１６】
本発明は上記従来の課題を解決するもので、作業時間が短縮でき、容易に給水装置の洗浄が行える自動販売機の給水装置を提供することを第一の目的とする。
【００１７】
さらに第一の目的に加え、給水装置の取外し時に工具を必要としない自動販売機の給水装置を提供することを第二の目的とする。
【００１８】
さらに第一、第二の目的に加え、給水装置に外力が加わっても外れ難い自動販売機の給水装置を提供することを第三の目的とする。
【００１９】
さらに第一、第二、第三の目的に加え、給水装置内部に異物の侵入なく衛生的な自動販売機の給水装置を提供することを第四の目的とする。
【００２０】
さらに第一、第二、第三、第四の目的に加え、給水装置取外し時の取外し部品を減らし、作業時間が短縮できる自動販売機の給水装置を提供することを第五の目的とする。
【００２１】
さらに第一、第二、第三、第四、第五の目的に加え、配管の接続作業が簡単にできる自動販売機の給水装置を提供することを第六の目的とする。
【課題を解決するための手段】
【００２２】
本発明の請求項１に記載の発明は、給水装置として水道からの給水を一旦貯留する形状であり、底面には各負荷に貯留水を供給する供給ノズルを形成し、上方には貯留水が所定量以下になるよう排水する排水口を設け、機体に固着する水リザーバタンクと、前記水リザーバタンクと勘合する形状であり、上面には水道配管と接続する給水ノズルを設け、機体に固着する蓋と、前記水リザーバタンクと蓋を固着するネジと、前記蓋の上面に固着され、水リザーバタンクに所定量の貯水になるよう給水弁の通電を制御する水位制御装置とからなり、蓋を機体に固着し、水リザーバタンクのみ取外しが行なえるため、取外し部品が減ることにより作業内容が低減することで、水リザーバタンクの取外し洗浄作業が短時間で行えるという作用を有する。
【００２３】
請求項２に記載の発明は、水道からの給水を一旦貯留する形状であり、底面には各負荷に貯留水を供給する供給ノズルを形成し、上方には貯留水が所定量以下になるよう排水する排水口を設け、対向する２辺に形成した引掛け又は保持形状を形成した第２水リザーバタンクと、前記第２水リザーバタンクと勘合する形状であり、上面には水道配管と接続する給水ノズルを設け、前記第２水リザーバタンクと係合する引掛け又は保持形状を形成し機体に固着する第２蓋を備えたものであり、蓋に水リザーバタンクを引掛け取付け可能にすることで、取外し作業が工具無しで容易に行えるという作用を有する。
【００２４】
請求項３に記載の発明は、請求項１に記載の発明に、前記第２水リザーバタンクと勘合する形状であり、上面には水道配管と接続する給水ノズルを設け、前記第２水リザーバタンクと係合する引掛け又は保持形状に、さらに弾性にて変形する押え形状を形成し機体に固着する第３蓋を備えたものであり、蓋に水リザーバタンクを引掛け取付け可能にして、さらに押え部で挟み込むことで、蓋と水リザーバタンクの勘合が強化し容易に外れないという作用を有する。
【００２５】
請求項４に記載の発明は、請求項１に記載の発明に、前記第２水リザーバタンクと勘合する形状であり、上面には水道配管と接続する給水ノズルを設け、上面を覆う形状であり、前記第２水リザーバタンクと係合する引掛け又は保持形状を形成し、機体に固着する第４蓋としたものであり、蓋上面を覆う形状を形成することで、機体中に浮遊するパウダー原料やゴミが、第２水リザーバタンク内部に侵入しない作用を有する。
【００２６】
請求項５に記載の発明は、水道からの給水を一旦貯留する形状であり、底面には各負荷に貯留水を供給する供給ノズルを形成し、上方には貯水量が所定量以下になるよう排水する排水口を設け、機体に固着する第３水リザーバタンクと、前記第３水リザーバタンクと勘合する形状であり、上面には水道配管と接続する給水ノズルと、さらに水リザーバタンク底面付近まで形成し各負荷へ貯留水を供給する供給ノズルを設け、機体に固着する第５蓋としたものであり、供給ノズルを蓋に設け、水リザーバタンク取外し時の取外し部品が減り作業内容が削減できる作用を有する。
【００２７】
請求項６に記載の発明は、水道からの給水を一旦貯留する形状であり、底面には円筒形状のほぼ中間に突起形状を形成し、各負荷に貯留水を供給する供給ノズルを形成し、上方に所定量以上の給水を排水する排水口を設け、機体に固着する第３水リザーバタンクと、前記供給ノズルの突起部と勘合する給水配管と、接合部をシールするパッキンとしたものであり、水リザーバタンク底面の給水パイプと給水配管の接続を差込み構造にして、取外し作業を軽減できる作用を有する。
【発明の効果】
【００２８】
以上、説明したように請求項１の発明によれば、蓋を機体に固着し、水リザーバタンクのみ取外しが行なえ、取外し部品が減ることにより作業内容が削減し、水リザーバタンクの取外し洗浄作業が短時間で行える。
【００２９】
また、請求項２の発明によれば蓋に水リザーバタンクを引掛け取付け可能にすることで、取外し作業が工具無しで容易に行える。
【００３０】
また、請求項３の発明によれば蓋に水リザーバタンクを引掛け取付け可能にして、さらに押え部で挟み込むことで、蓋と水リザーバタンクの勘合が強化し容易に外れない。
【００３１】
また、請求項４の発明によれば蓋上面を覆う形状を形成することで、機体内に浮遊するパウダー原料やゴミの侵入を防止する。
【００３２】
また、請求項５の発明によれば供給ノズルを蓋に設け、水リザーバタンク取外すための他構造の取外しが不要となり、取外し作業量を軽減できる。
【００３３】
また、請求項６の発明によれば水リザーバタンク底面の供給ノズルと供給配管の接続を差込み構造にして、簡単作業で、さらに短時間で作業ができる。
【発明を実施するための最良の形態】
【００３４】
以下本発明による自動販売機の給水装置の実施の形態について、図面を参照しながら説明する。なお、従来と同一構成、同一動作については同一符号を付して詳細な説明を省略する。
【００３５】
（実施の形態１）
図１は本発明の実施の形態１による自動販売機の給水装置を示す断面図である。
【００３６】
図２は同実施の形態の自動販売機の給水装置を示す正面図である。
【００３７】
図１、図２に示すように、第２水リザーバタンク２８は、従来同様に水道水を一旦貯水する形状で、底面には貯留水を各負荷に供給する供給ノズル２８ａが形成されてあり、配管で接続され各負荷に必要に応じ随時送水される。また、所定水位以下になるよう上方に排水口２８ｂを形成する。さらに、機体との取付け面の両端には取付け部３０ｂを形成し、ネジ２９にて機体と締結する。
【００３８】
第２蓋３０においては前記第２水リザーバタンク２８と勘合する形状であり、取付け面３０ａを形成し、ネジ２９にて機体と締結する。また従来同様に給水源となる水道水を電気信号により動作する給水弁１と配管にて接続された給水口３０ｂが第２水リザーバタンク２８に向けて開口して設けられている。
【００３９】
水位の制御装置についても従来同様に取付け、第２水リザーバタンク２８内の貯水面に浮んだフロート２７の上下動作により水位を検知して、給水弁１の通電制御を行なう。
【００４０】
以上のように構成された自動販売機の給水装置について、以下その動作を説明するが、通常販売動作については従来例と同様のため、洗浄時の第２水リザーバタンクの取外し方法について説明する。
【００４１】
販売経過により、第２水リザーバタンク２８を機体より取外し洗浄する場合、供給ノズ
ル２８ａと接続された配管を外し、第２水リザーバタンク２８を固定してあるネジ２９を工具を用い取外すだけで第２水リザーバタンク２８は矢印１）方向の如く下方への取外しが可能になる。
【００４２】
洗浄作業が終了すると第２水リザーバタンク２８を従来位置に戻し、ネジ２９で締付け固定し、供給ノズル２８ａに外した配管を接続して作業が完了する。
【００４３】
しがって、水垢等で汚れる第２水リザーバタンク２８のみ容易に取外しが出来る。
【００４４】
以上のように本実施例の形態の自動販売機の給水装置は、第２水リザーバタンク２８と第２蓋３０を各々別々に機体に取付け、洗浄の際は、第２水リザーバタンク２８のみ取り外すことが可能になり、第２蓋３０と接続された配管の取外しが不要のなるため短時間で洗浄作業ができる。
【００４５】
（実施の形態２）
図３は本発明の実施の形態２による自動販売機の給水装置を示す断面図である。
【００４６】
図３において第３水リザーバタンク３１は、従来同様に水道水を一旦貯水する形状で、底面には貯留水を各負荷に供給する供給ノズル３１ａが形成されてあり、配管で接続され各負荷に、必要に応じ随時送水される。正面の外面上方には、下方から上方に向け略Ｌ形状で垂直面に挿入穴を形成した引掛け部３１ｂと、対向する面のほぼ同高さには、機体側に向け挿入する突起部３１ｃを形成する。
【００４７】
第３蓋３２においては前記第３水リザーバタンク３１と勘合する形状であり、取付け面３２ａを形成し、機体にネジ２９で締結する。また従来同様に給水源となる水道水を電気信号により動作する給水弁１と配管にて接続された給水口３２ｂが第３水リザーバタンク３１に向けて開口して設けられている。また前記第３水リザーバタンク３１の引掛け部３１ｂに挿通する略コ字形状の受け部３２ｃが、さらに対向する面の挿入突起部３１ｃに嵌り合う形状をした固定穴３２ｄを形成することで、第３蓋３２と第３水リザーバタンク３１は勘合し保持する。
【００４８】
水位の制御装置についても従来同様に取付け、第３水リザーバタンク３１内の貯水面に浮んだフロート２７の上下動作により水位を検知して、前記給水弁１の通電制御を行なう。
【００４９】
以上のように構成された自動販売機の給水装置について、以下その動作を説明するが、通常販売動作については従来例と同様のため、洗浄時の第３水リザーバタンクの取外し方法について説明する。
【００５０】
販売経過により、第３水リザーバタンク３１を機体より取外し洗浄する場合、供給ノズル３１ａと接続された配管を外し、矢印２）方向の如き第３水リザーバタンク３１を少し上方に持上げ、さらに手前に引くと前方の引掛け部３１と受け部３２ｃが、さらに挿入突起部３１ｃと固定穴３２ｄの勘合が外れ、第３水リザーバタンク３１は下方への取外しが可能になる。
【００５１】
洗浄作業が終了すると前記とは逆に第３水リザーバタンク３１を第３蓋３２の下方に押当て、前方の引掛け部３１と受け部３２ｃを、また挿入突起部３１ｃと固定穴３２ｄの位置を合わせ差込むと、第３蓋３２に第３水リザーバタンク３１が引掛かり取付けが完了する。そして供給ノズル３１ａに外した配管を接続して作業が完了する。
【００５２】
しがって、水垢等で汚れる第１水リザーバタンク３１は工具無しで取外しが出来る。
【００５３】
以上のように本実施例の自動販売機の給水装置は、第３蓋３２に形成した受け部３２ｃと固定穴３２ｄに第３水リザーバタンク３１を引掛けるだけで第３水リザーバタンク３１が外れ、短時間で洗浄作業が行える。
【００５４】
（実施の形態３）
図４は本発明の実施の形態３による自動販売機の給水装置を示す断面図である。
【００５５】
図４において第４蓋３３は前記第３水リザーバタンク３１と勘合する形状であり、取付け面３３ａを形成し、機体にネジ２９で締結する。また従来同様に給水源となる水道水を電気信号により動作する給水弁１と配管にて接続された給水口３３ｂが第３水リザーバタンク３１に向けて開口して設けられている。また前記第３水リザーバタンク３１の引掛け部３１ｂに挿通する略コ字形状の受け部３３ｃが、さらに対向する面の挿入突起部３１ｃに嵌り合う形状をした固定穴３３ｄを形成することで、第４蓋３３と第３水リザーバタンク３１は勘合し保持する。ただし受け部３３ｃの上方には、外周より上方に出張り第３水リザーバタンク３１の引掛け部３１ｂの上面を押えるよう略３角形状をした押え部３３ｅが形成してある。すなわち、引掛け部３１ｂを第４蓋３３の受け部３３ｃと押え部３３ｅが挿み込むようになり、下方から外力が加わっても外れが発生しない。また、下方を支点にして弾性力により変形することで、引掛け部３１ｂの上面の押えを解除もできる。
【００５６】
水位の制御装置についても従来同様に取付け、第３水リザーバタンク３１内の貯水面に浮んだフロート２７の上下動作により水位を検知して、前記給水弁１の通電制御を行なう。
【００５７】
以上のように構成された自動販売機の給水装置について、以下その動作を説明するが、通常販売動作については従来例と同様のため、洗浄時の第３水リザーバタンクの取外し方法について説明する。
【００５８】
販売経過により、第３水リザーバタンク３１を機体より取外し洗浄する場合、供給ノズル３１ａと接続された配管を外し、の如き第４蓋３３に形成した押え部３３ｅを矢印３）方向に押すと引掛け部３１ｂの押えが外れ、さらに矢印４）方向の如き第３水リザーバタンク３１ｂを少し上方に持上げ、さらに手前に引くと前方の引掛け部３１と受け部３３ｃが、さらに挿入突起部３１ｃと固定穴３３ｄの勘合が外れ、第３水リザーバタンク３１は下方への取外しが可能になる。
【００５９】
洗浄作業が終了すると前記とは逆に第３水リザーバタンク３１を第４蓋３３の下方に押当て、前方の引掛け部３１と受け部３３ｃを、また挿入突起部３１ｃと固定穴３３ｄの位置を合わせ差込むと、弾性により押え部３３ｅも変形して所定位置まで移動し、下方に下げると第４蓋３３に第３水リザーバタンク３１が引掛かり取付けが完了する。そして供給ノズル３１ａに外した配管を接続して作業が完了する。
【００６０】
しがって、第３水リザーバタンク３１を挟み込む構造にして第３水リザーバタンク３１の外れが無い。
【００６１】
以上のように本実施例の自動販売機の給水装置は、機械を維持管理する際誤って第３水リザーバタンク３１に外力が加わっても、第４蓋３３に形成した受け部３３ｃと押え部３３ｅとで第３水リザーバタンク３１を挟み込み、外れによる事故が無い。
【００６２】
（実施の形態４）
図５は本発明の実施の形態４による自動販売機の給水装置を示す断面図である。
【００６３】
図５において第５蓋３４は前記第３水リザーバタンク３１と勘合する形状であり、取付け面３４ａを形成し、機体にネジ２９で締結する。また従来同様に給水源となる水道水を電気信号により動作する給水弁１と配管にて接続された給水口３４ｂが第３水リザーバタンク３１に向けて開口して設けられている。また前記第３水リザーバタンク３１の引掛け部３１ｂに挿通する略コ字形状の受け部３４ｃが、対向する面の挿入突起部３１ｃに嵌り合う形状をした固定穴３４ｄを形成することで、第４蓋３３と第３水リザーバタンク３１は勘合し保持する。さらに、前記取付け面３４ａの先端には一端を支点に開閉可能とした第５蓋３４上面全体を覆う略Ｌ形状をしたカバー３４ｅを形成し、さらにその先端には第３水リザーバタンク３１の引掛け部３１ｂの上面を押えるよう略３角形状をした押え部３３ｆが形成してある。すなわち、引掛け部３１ｂを第５蓋３４の受け部３４ｃと押え部３４ｆが挿み込むようになり、下方から荷重が加わっても外れの発生も無く、さらにはカバー３４ｅにより第３水リザーバタンク３１装着時、内部にパウダー原料やゴミが侵入しない。また、押え部３４ｆ下方を支点にして弾性力により変形が可能となり、引掛け部３１ｂの上面の押えを解除もできる。
【００６４】
水位の制御装置についても従来同様に取付け、第３水リザーバタンク３１内の貯水面に浮んだフロート２７の上下動作により水位を検知して、前記給水弁１の通電制御を行なう。
【００６５】
以上のように構成された自動販売機の給水装置について、以下その動作を説明するが、通常販売動作については従来例と同様のため、洗浄時の第３水リザーバタンクの取外し方法について説明する。
【００６６】
販売経過により、第３水リザーバタンク３１を機体より取外し洗浄する場合、供給ノズル３１ａと接続された配管を外し、第５蓋３４に形成した押え部３４ｆを矢印３）方向の如き押すと引掛け部３１ｂの押えが外れ、さらに矢印４）方向の如き第３水リザーバタンク３１を少し上方に持上げ、さらに手前に引くと前方の引掛け部３１ｂと受け部３４ｃが、挿入突起部３１ｃと固定穴３４ｄの勘合が外れ、第３水リザーバタンク３１は下方への取外しが可能になる。
【００６７】
洗浄作業が終了すると前記とは逆に第３水リザーバタンク３１を第５蓋３４の下方に押当て、前方の引掛け部３１ｂと受け部３４ｃを、また挿入突起部３１ｃと固定穴３４ｄの位置を合わせ差込むと、弾性により押え部３４ｆも変形して所定位置まで移動し、下方に下げると第５蓋３４に第３水リザーバタンク３１が引掛かり取付けが完了する。その際カバー３４ｅが第５蓋３４の上面を覆うことになる。そして供給ノズル３１ａに外した配管を接続して作業が完了する。
【００６８】
しがって、第５蓋３４上面を形成し販売時の第３水リザーバタンク３１内にパウダー原料やゴミの侵入がない。
【００６９】
以上のように本実施例の自動販売機の給水装置は、主原料となる飲料水にパウダー原料やゴミの侵入による汚染が無く、衛生的な飲料を提供できる。
【００７０】
（実施の形態５）
図６は本発明の実施の形態５による自動販売機の給水装置を示す断面図である。
【００７１】
図６において第４水リザーバタンク３５は、従来同様に水道水を一旦貯水する形状で、所定水位以下になるよう上方に排水口（図示しない）を形成する。さらに、機体との取付
け面の両端には取付け部３０ａを形成し、ネジ２９にて機体と締結する。
【００７２】
第６蓋３６は前記第４水リザーバタンク３５と勘合する形状であり、取付け面３６ａを形成し、機体にネジ２９で締結する。また従来同様に給水源となる水道水を電気信号により動作する給水弁１と配管にて接続された給水口３６ｂが第４水リザーバタンク３５に向けて開口して設けられている。さらに第４水リザーバタンク３５の底面近くまで形状した供給ノズル３６ｃを形成する。
【００７３】
水位の制御装置についても従来同様に取付け、第４水リザーバタンク３５内の貯水面に浮んだフロート２７の上下動作により水位を検知して、給水弁１の通電制御を行なう。
【００７４】
以上のように構成された自動販売機の給水装置について、以下その動作を説明するが、通常販売動作については従来例と同様のため、洗浄時の第４水リザーバタンクの取外し方法について説明する。
【００７５】
販売経過により、第４水リザーバタンク３５を機体より取外し洗浄する場合、第４水リザーバタンク３５を固定してあるネジ２９を工具を用い取外すだけで第４水リザーバタンク３５は矢印１）方向の如く下方への取外しが可能になる。
【００７６】
洗浄作業が終了すると第４水リザーバタンク３５を従来位置に戻し、ネジ２９で締付け固定して作業が完了する。
【００７７】
しがって、水垢等で汚れる第４水リザーバタンク３５のみ容易に取外しが出来る。
【００７８】
以上のように本実施例の形態の自動販売機の給水装置は、第４水リザーバタンク３５を取外す際、配管、電気配線の取外しの必要が無いため、簡単に短時間で洗浄作業ができる。
【００７９】
（実施の形態６）
図７は本発明の実施の形態１による自動販売機の給水装置を示す斜視図である。
【００８０】
図７において、第５水リザーバタンク３７は、従来同様に水道水を一旦貯水する形状で、底面には貯留水を各負荷に供給するため、円筒形状をした供給ノズル３７ａを形成し、各負荷に必要に応じ随時送水される。先端近くには対向する２面に水平方向に出張った突起部３７ｂを形成してある。また、所定水位以下になるよう上方に排水口３７ｃを形成する。さらに、機体との取付け面の両端には取付け部３７ｄを形成し、ネジ２９にて機体と締結する。
【００８１】
前記供給ノズル３７ａとは、供給配管３８と接続して各負荷に必要に応じ随時送水されるが、前記突起部３７ｂに嵌り込むよう円筒形状の対向する２箇所に略Ｌ形状をした嵌合溝３８ａを形成する。その際、接合部から貯留水の水漏れを防止するため、供給ノズル３７ａの先端に円筒形状をしたパッキン３９を設けてある。すなわち、突起部３７ｂに嵌合溝３８ａを引掛け、接合部をパッキン３９でシールすることで接続が完了する。
【００８２】
以上のように構成された自動販売機の給水装置について、以下その動作を説明するが、通常販売動作については従来例と同様のため、洗浄時の第５水リザーバタンクの取外し方法について説明する。
【００８３】
販売経過により、第５水リザーバタンク３７を機体より取外し洗浄する場合、供給配管３８を矢印５）方向に回動すると突起部３７ｂと嵌合溝３８ａの勘合が外れ、供給配管３
８は下方に引抜くだけで接続が外れ、第５水リザーバタンク３７を固定してあるネジ２９を工具を用い取外すだけで第５水リザーバタンク３７は矢印５）方向の如く下方への取外しが可能になる。
【００８４】
洗浄作業が終了すると第５水リザーバタンク３７を従来位置に戻し、ネジ２９で締付け固定し、供給配管３８を矢印６）方向に差込むと突起部３７ｂに嵌合溝３８ａが引掛り接続して作業が完了する。
【００８５】
しがって、供給配管３８の取外しが容易に出来る。
【００８６】
以上のように本実施例の形態の自動販売機の給水装置は、第５水リザーバタンク３７を取外す際に必要な供給配管３８の取外すが、差込み、引掛けで接合するため作業が簡単になり短時間で洗浄作業ができる。
【産業上の利用可能性】
【００８７】
以上のように、本発明の自動販売機の給水装置は、水リザーバタンクの取外し洗浄作業を短時間で行うことができ、自動販売機を初めとして給水装置を備えた機器の分野で適用が可能である。
【図面の簡単な説明】
【００８８】
【図１】本発明の実施例１における自動販売機の給水装置の構成を示す断面図
【図２】同実施例の自動販売機の構成を示す正面図
【図３】本発明の実施例２における自動販売機の給水装置の構成を示す断面図
【図４】本発明の実施例３における自動販売機の給水装置の構成を示す断面図
【図５】本発明の実施例４における自動販売機の給水装置の構成を示す断面図
【図６】本発明の実施例５における自動販売機の給水装置の構成を示す断面図
【図７】本発明の実施例５における自動販売機の給水装置の構成を示す斜視図
【図８】従来の自動販売機の洗浄装置の水回路図
【図９】従来の自動販売機の給水装置の構成を示す断面図
【符号の説明】
【００８９】
２８    第２水リザーバタンク
２８ａ    供給ノズル
２９    ネジ
３０    第２蓋
３１    第３水リザーバタンク
３１ａ    供給ノズル
３１ｂ    引掛け部
３１ｃ    挿入突起部
３２    第３蓋
３３    第４蓋
３４    第５蓋
３５    第４水リザーバタンク
３６    第６蓋
３６ｃ    供給ノズル
３７    第５水リザーバタンク
３７ａ    供給ノズル
３７ｂ    突起部
３８    供給配管
３９    パッキン
【図１】
2005092394.tif 000003
【図２】
2005092394.tif 000004
【図３】
2005092394.tif 000005
【図４】
2005092394.tif 000006
【図５】
2005092394.tif 000007
【図６】
2005092394.tif 000008
【図７】
2005092394.tif 000009
【図８】
2005092394.tif 000010
【図９】
2005092394.tif 000011